(57)【特許請求の範囲】
【請求項１】
導体を被覆する先端側の絶縁被覆を剥がして前記導体を露出した被覆電線の電線先端部を圧着端子の圧着部に挿入し、該圧着部によって前記被覆電線と前記圧着端子とを圧着接続する被覆電線の端子接続方法であって、
前記電線先端部は、
前記被覆電線における先端側の前記絶縁被覆を剥がして前記導体を所定長さ露出させた導体先端部と、前記絶縁被覆の前記導体先端部より後方側部分の被覆先端部とで構成され、
前記被覆先端部の外周面に、
前記電線先端部の先端側端面を基準として、前記電線先端部の前記圧着部に挿入される挿入長さに応じた距離を隔てた位置に目印を形成し、
前記目印を、
前記圧着部の内部長さより短い長さの前記絶縁被覆を剥がし、前記導体を露出させてから形成し、
前記圧着部に前記目印の位置まで挿入した前記電線先端部を圧着接続する
被覆電線の端子接続方法。
【請求項２】
導体を絶縁被覆で被覆し、先端側の前記絶縁被覆を剥がして前記導体を露出させた電線先端部を備えた被覆電線における少なくとも前記電線先端部の圧着接続を許容する圧着部を備えた圧着端子における前記圧着部によって前記被覆電線と前記圧着端子とを圧着接続した被覆電線の端子接続構造であって、
前記絶縁被覆の先端側外周面に、
前記電線先端部の前記圧着部に挿入される挿入長さに応じて、該電線先端部が前記圧着部に対して所定長さ挿入されたことを示す目印を備え、
前記目印を、
前記絶縁被覆よりも柔軟性を有する材料で構成するとともに、前記圧着部の内部長さより短い長さの前記絶縁被覆を剥がしてから形成し、
前記被覆電線の長手方向に沿って幅広となるように、該絶縁被覆の外周面を覆うように周方向に配置するとともに、
前記電線先端部の先端側端面から前記圧着部の内部長さと対応する距離を隔てた位置を含む幅であって、前記導体を露出した導体先端部と前記圧着部とが所望の導電状態に圧着接続される範囲と対応する幅に形成し、
前記圧着部に、前記目印の位置まで挿入された前記電線先端部を圧着接続した
被覆電線の端子接続構造。
【請求項３】
前記圧着部を、
前記電線先端部の挿入を許容する内部空間を有するとともに、該電線先端部を囲繞可能な中空形状に構成した
請求項２に記載の被覆電線の端子接続構造。
【請求項４】
前記圧着部の先端に、該圧着部の対向する内面同士を密着させて封止した封止部を備えた
請求項３に記載の被覆電線の端子接続構造。
【請求項５】
前記導体を、アルミ系材料で構成するとともに、
少なくとも前記圧着部を、銅系材料で構成した
請求項２〜４のいずれか一つに記載の被覆電線の端子接続構造。
【請求項６】
請求項２〜５のいずれか一つに記載の端子接続構造における圧着端子をコネクタハウジング内に配置した
ワイヤハーネス。
【発明の詳細な説明】
【技術分野】
【０００１】
この発明は、例えば、自動車用ワイヤハーネスのコネクタ等に装着されるような被覆電線の端子接続構造、ワイヤハーネス、及び接続方法に関する。
【背景技術】
【０００２】
自動車等に装備された電装機器は、被覆電線を束ねたワイヤハーネスを介して、別の電装機器や電源装置と接続して電気回路を構成している。この際、ワイヤハーネスと電装機器や電源装置とは、それぞれに装着したコネクタで接続されている。
【０００３】
上述したコネクタに備える圧着端子には、様々なものが提案されており、特許文献１に開示の圧着端子もこのような圧着端子の一つである。  
特許文献１に開示の圧着端子は、被覆電線における先端側の絶縁被覆を剥がして導体を露出させた電線先端部を、先端側が閉じられた圧着部の挿入穴に挿入し、その電線先端部に圧着部を圧着接続する構成である。
【０００４】
しかし、上述した圧着部の挿入穴が小さく、挿入穴の先端側が閉じられているため、電線先端部を圧着部の挿入穴に挿入した際、電線先端部の導体が、圧着部の挿入穴に対して適切な深さ挿入されたか、圧着部の外部から確認することができない。もし、導体の挿入穴に対する挿入が浅いと、圧着時において、導体と圧着部が適切な状態に圧着されず、所望の導電状態が得られないおそれがあった。
【先行技術文献】
【特許文献】
【０００５】
【特許文献１】特開２００９−１７６５７１号公報
【発明の概要】
【発明が解決しようとする課題】
【０００６】
この発明は、被覆電線における電線先端部の導体が圧着端子の圧着部に対して所定位置まで挿入されたことを、該圧着部の外部から確実に目視で確認することができる被覆電線の端子接続構造、ワイヤハーネス及び被覆電線の端子接続方法を提供することを目的とする。
【課題を解決するための手段】
【０００７】
この発明は、導体を絶縁被覆で被覆し、先端側の前記絶縁被覆を剥がして前記導体を露出させた電線先端部を備えた被覆電線における少なくとも前記電線先端部の圧着接続を許容する圧着部を備えた圧着端子における前記圧着部によって前記被覆電線と前記圧着端子とを圧着接続した被覆電線の端子接続構造であって、前記絶縁被覆の先端側外周面に、前記電線先端部の前記圧着部に挿入される挿入長さに応じて、該電線先端部が前記圧着部に対して所定長さ挿入されたことを示す目印を備え、前記目印を、前記絶縁被覆よりも柔軟性を有する材料で構成するとともに、前記圧着部の内部長さより短い長さの前記絶縁被覆を剥がしてから形成し、前記被覆電線の長手方向に沿って幅広となるように、該絶縁被覆の外周面を覆うように周方向に配置するとともに、前記電線先端部の先端側端面から前記圧着部の内部長さと対応する距離を隔てた位置を含む幅であって、前記導体を露出した導体先端部と前記圧着部とが所望の導電状態に圧着接続される範囲と対応する幅に形成し、前記圧着部に、前記目印の位置まで挿入された前記電線先端部を圧着接続したことを特徴とする。
【０００８】
この発明によれば、被覆電線における電線先端部の導体が圧着端子の圧着部に対して所定位置まで挿入されたことを、該圧着部の外部から確実に目視で確認することができる。
【０００９】
詳しくは、例えば、被覆電線における先端側の絶縁被覆を剥がして導体を所定長さ露出させた電線先端部を、先端側が閉じられた圧着部に挿入した際、電線先端部に露出した導体が圧着部に対して適切な深さ挿入されたか、圧着部の外部から確認することが不可能であるため、導体の挿入が浅い場合には、導体と圧着部が適切な状態に圧着されず、所望の導電状態が得られないおそれがあった。
【００１０】
これに対し、本発明の被覆電線の端子接続構造は、電線先端部の圧着部に対する挿入長さを示す目印を、絶縁被覆の先端側外周面において、電線先端部の圧着部に挿入される挿入長さに応じた位置に配置しているので、被覆電線の電線先端部を、圧着端子の圧着部に対して上述した目印の位置まで挿入すれば、電線先端部に露出する導体を、例えば、クローズドバレル型やオープンバレル型等の圧着部内の所定位置まで正確かつ確実に挿入することができる。
【００１１】
電線先端部を圧着部に挿入する際、例えば、目印の中央と圧着部の後端とが一致する位置まで挿入すれば、その圧着部より露出する目印を目視するだけで、電線先端部の導体が圧着部内の所定位置まで挿入されたことを、該圧着部の外部から確実に目視で確認することができ、電線先端部の導体が圧着部に対して過少あるいは過剰に挿入されることを防止できる。  
この結果、被覆電線における電線先端部の導体と、圧着端子における圧着部とを所定の圧着状態に圧着接続することができるとともに、所望する導電状態が得られる端子接続構造を構成することができる。
【００１２】
また、電線先端部の圧着部に対する挿入が浅いと、被覆を除去した導体部先端部と圧着部の接触面積が小さくなり、安定した導電状態が実現できないおそれがある。
【００１３】
また、クローズバレル型においては絶縁被覆をかしめる圧着部の圧着面積が小さくなり、被覆電線と圧着端子との接触長が短くなるため、後端部から端子内部への水分の浸入を遮断できず、止水性が低下するおそれがある。
【００１４】
しかし、本発明のように、電線先端部に露出した導体を圧着部内の所定位置まで挿入すれば、絶縁被覆も圧着部内に対して所定長さ挿入されるので、圧着に必要な面積を確保することができる。この結果、被覆電線と圧着端子との接続状態を維持するのに必要な接触長さが得られ、安定した導電状態に接続することができる。
【００１５】
また、前記目印を、前記圧着部の内部長さより短い長さの前記絶縁被覆を剥がしてから形成しているため、電線先端部が圧着部の内部長さと対応する長さだけ挿入されたことを、該圧着部の外部から目視で確認することができる。
【００１６】
詳しくは、例えば、クローズドバレル型の圧着端子の場合、電線先端部に圧着する圧着部と、該圧着部の対向する内面同士を密着させて封止した封止部との間に勾配部分があるため、被覆電線の電線先端部を圧着部の後方側開口部から前方側封止部に突き当たるまで挿入する場合、勾配部分の傾きによって電線先端部の挿入量にばらつきが生じやすく、所定の圧着状態に圧着接続することができない。
【００１７】
これに対し、本発明の端子接続構造は、目印を、前記圧着部の内部長さより短い長さの前記絶縁被覆を剥がしてから形成し、電線先端部の先端側端面から圧着部の内部長さと対応する距離を隔てた位置に配置しているので、被覆電線の電線先端部を、圧着端子の圧着部に対して上述した目印の位置まで挿入すれば、電線先端部に露出した導体を、該電線先端部の先端側端面が圧着部の奥の方に到達する所定位置まで正確かつ確実に挿入することができる。
【００１８】
ここで、上述の電線先端部は、被覆電線における先端側の絶縁被覆を剥がして導体を露出させた導体先端部と、圧着部が圧着される絶縁被覆の被覆先端部とを含むものである。また、圧着部は、例えば、圧着前において略筒状を有するクローズドバレル型の圧着部、あるいは、略Ｖ字状を有するオープンバレル型の圧着部等で構成することができる。
【００１９】
また、例えば、電線先端部に露出した導体に圧着される圧着部の内面に、凹状や凸状のセレーションを形成してもよく、圧着部により該圧着部の内面に圧着された導体はセレーションに食い込んで変形するため、接触面積が増大して電気抵抗の少ない電気的接続を実現することができる。  
なお、上述した目印の位置は、例えば、圧着部に挿入される電線先端部の挿入長さに応じて所望する位置に変更してもよい。
【００２０】
また、前記目印を、前記被覆電線の長手方向に沿って幅広となるように配置するとともに、前記電線先端部の先端側端面から前記圧着部の内部長さと対応する距離を隔てた位置を含む幅であって、前記導体を露出した導体先端部と前記圧着部とが所望の導電状態に圧着接続される範囲と対応する幅に形成することによれば、圧着部より外部に露出された目印を目視するだけで、電線先端部が圧着部に対して所定長さ挿入されたことを、該圧着部の外部から目視で確認することができる。
【００２１】
詳しくは、例えば、被覆電線の電線先端部を圧着部に挿入した際、電線先端部に形成した目印が圧着部に隠れてしまうと、目印の目視が不可能となるため、電線先端部に露出した導体が圧着部内の所定位置まで挿入されたか確認することができない。
【００２２】
これに対し、本発明の被覆電線の端子接続構造は、目印を、圧着部の内部長さと対応する距離を隔てた位置を含むとともに、導体先端部と圧着部が所望の導電状態に圧着接続が許容される範囲と対応して被覆電線の長手方向に沿って幅広に配置している。
【００２３】
電線先端部を圧着部に挿入した際、幅広に形成した目印の少なくとも後端側が圧着部より露出し、該目印の前端側が圧着部に隠れて見えなければ、電線先端部に露出した導体が圧着部内の所定位置まで挿入されていることになる。  
また、目印の前端側が圧着部より外部に露出していれば、導体先端部が圧着部の圧着接続が許容される範囲よりも後方に位置することになり、電線先端部の圧着部に対する挿入が浅く、過少挿入されていることになる。
【００２４】
したがって、被覆電線の電線先端部を圧着部に挿入する際、目印の少なくとも後端側が圧着部より露出し、前端側が圧着部に隠れる位置まで挿入すれば、導体を圧着部内の所定位置まで確実に挿入することができる。  
さらに、圧着部より露出される目印の露出幅を目視することにより、導体が圧着部内の所定位置まで挿入されたことを、該圧着部の外部から確実に目視で確認することができる。
【００２５】
また、上述した目印を、圧着部のうち導体先端部と対応する部分が全域にて接触するように圧着される範囲と対応する幅に形成してもよく、電線先端部を圧着部に挿入した際、目印の前端側が圧着部に隠れて見えなければ、導体先端部の少なくとも先端側が圧着部の圧着接続が許容される範囲内に収められた状態に挿入されていることを、圧着部の外部から目視で確認することができる。
【００２６】
目印の後端側の一部が圧着部の外部から見えていれば、その露出する目印を目視することにより、導体先端部の略全長が圧着部の圧着接続が許容される範囲内に収められた状態に挿入されていることを、圧着部の外部から目視で確認することができる。
【００２７】
また、前記目印を、前記絶縁被覆よりも柔軟性を有する材料で構成するとともに、該絶縁被覆の外周面を覆うように周方向に配置することによれば、被覆電線と圧着部との対向面間を止水するための止水性と、電線先端部が圧着部内の所定位置まで挿入されたことを目視で確認するための目印として兼用することができる。
【００２８】
詳しくは、例えば、電線先端部と圧着部を直接圧着した場合、絶縁被覆と圧着部との隙間から水分が侵入するおそれがある。  
これに対し、本発明の被覆電線の端子接続構造は、目印を、絶縁被覆よりも柔軟性を有する材料で構成し、絶縁被覆の外周面を覆うように周方向に配置しているので、被覆電線の電線先端部を、圧着端子の圧着部に対して上述の目印の位置まで挿入して、図示しない圧着治具により電線先端部に圧着部を圧着接続した際、被覆電線に圧着部を直接圧着するよりも、高い柔軟性を有する目印が圧着形状に追随して変形しやすく、形状変化に対する追随性に優れているため、電線先端部と圧着部との対向面間が密着状態となり止水される。  
この結果、圧着部の内部へ水分が侵入することを防止でき、優れた止水性を確保することができる。
【００２９】
さらに、電線先端部を圧着部に挿入する際、例えば、柔軟性を有する目印の少なくとも一部が圧着部より外部に露出していてかつ一部が隠れる位置まで挿入すれば、その露出した目印の一部を目視することによって、導体が圧着部内の所定位置まで挿入されているか、該圧着部の外部から確実に目視で確認することができる。  
ここで、上述の柔軟性を有する材料は、例えば、ゴム、ゲル材、接着剤、粘着剤等で構成することができる。
【００３０】
また、上記圧着部の内部長さは、例えば、クローズドバレル型の圧着端子おいて、断面略筒状を有する圧着部の電線挿入方向における長手方向の内部長さに対応している。また、オープンバレル型の圧着端子において、圧着前の断面略Ｕ字状を有する圧着部の電線挿入方向における長手方向の長さに対応している。  
上記電線先端部の先端側端面は、例えば、導体先端部の導体先端面、被覆先端部の被覆先端面等で構成することができる。
【００３１】
さらに、上記所望の導電状態に圧着接続される範囲とは、例えば、電線先端部において導体を所定長さ露出した導体先端部と圧着部が圧着される範囲に対応する。すなわち、圧着部のうち導体先端部と対応する部分が全域にて接触するように圧着される範囲である。
【００３２】
また、この発明の態様として、前記圧着部を、前記電線先端部の挿入を許容する内部空間を有するとともに、該電線先端部を囲繞可能な中空形状に構成することができる。  
上述した構成によれば、例えば、クローズドバレル型の圧着部に挿入された電線先端部を、該圧着部の外部から目視で確認することが困難であるが、本発明の端子接続構造を採用することによって、電線先端部に露出した導体が圧着部内の所定位置まで挿入されたことを、該圧着部の外部から確実に目視で確認することができる。
【００３３】
また、この発明の態様として、前記圧着部の先端に、該圧着部の対向する内面同士を密着させて封止した封止部を備えることができる。  
上述した構成によれば、圧着部の先端側を封止部にて封止しているため、圧着部に挿入された電線先端部を、該圧着部の先端側から目視で確認することが不可能であり、電線先端部が圧着部に対して適切な深さ挿入されたか確認することができない。
【００３４】
しかし、本発明の被覆電線の端子接続構造を採用することによって、電線先端部に露出した導体が、先端側が封止部にて封止された圧着部内の所定位置まで挿入されたことを、該圧着部の外部から確実に目視で確認することができる。  
さらに、封止部を、圧着部の対向する内面同士を密着させて構成しているので、圧着部の内部に、該圧着部の先端側から水分が浸入することを防止でき、安定した導電性を確保することができる。
【００３５】
なお、上述のように内面同士を密着させて構成する封止部を幅方向に溶接固定してもよい。このように、封止部を幅方向に溶接固定することにより、封止部の止水性を向上することができる。
【００３６】
またこの発明の態様として、上述の導体を、アルミ系材料で構成するとともに、少なくとも前記圧着部を、銅系材料で構成することができる。  
この発明によれば、銅線による導体部分を有する被覆電線に比べて軽量化できるとともに、上述した封止部によって確実な止水性が得られるので、いわゆる異種金属腐食（以下において電食という）を防止することができる。
【００３７】
詳しくは、被覆電線の導体に従来用いられていた銅系材料をアルミニウムあるいはアルミニウム合金などのアルミ系材料に置き換え、そのアルミ系材料製の導体を圧着端子に圧着した場合においては、端子材料の錫めっき、金めっき、銅合金等の貴な金属との接触により、卑な金属であるアルミ系材料が腐食される現象、すなわち電食が問題となる。
【００３８】
なお、電食とは、貴な金属と卑な金属とが接触している部位に水分が付着すると、腐食電流が生じ、卑な金属が腐食、溶解、消失等する現象である。この現象により、圧着端子の圧着部に圧着されたアルミ系材料製の導体が腐食、溶解、消失し、やがては電気抵抗が上昇する。その結果、十分な導電機能を果たせなくなるという問題があった。
【００３９】
しかしながら、上述した導体を、圧着部内の所定位置に挿入したまま圧着接続することで、銅系材料による導体を有する被覆電線に比べて軽量化を図りながら、いわゆる電食を防止することができる。
【００４０】
この結果、圧着端子と、被覆電線の導体を構成する金属種によらず、安定した導電性を確保した接続状態を構成することができる。  
ここで、前記圧着部は、例えば、銅、銅合金等の銅系材料で構成することができる。また、導体は、例えば、アルミニウム製素線あるいはアルミニウム合金製素線等で構成することができる。
【００４１】
またこの発明は、上述の被覆電線の端子接続構造における前記圧着端子をコネクタハウジング内に配置したワイヤハーネスであることを特徴とする。  
なお、複数本の端子接続構造で構成したワイヤハーネス、あるいは１本の端子接続構造で構成したワイヤハーネスとすることができる。  
この発明によれば、確実な導電性を備えた接続状態を確保することができる。
【００４２】
さらにまたこの発明は、導体を被覆する先端側の絶縁被覆を剥がして前記導体を露出した被覆電線の電線先端部を圧着端子の圧着部に挿入し、該圧着部によって前記被覆電線と前記圧着端子とを圧着接続する被覆電線の端子接続方法であって、前記電線先端部は、前記被覆電線における先端側の前記絶縁被覆を剥がして前記導体を所定長さ露出させた導体先端部と、前記絶縁被覆の前記導体先端部より後方側部分の被覆先端部とで構成され、前記被覆先端部の外周面に、前記電線先端部の先端側端面を基準として、前記電線先端部の前記圧着部に挿入される挿入長さに応じた距離を隔てた位置に目印を形成し、前記目印を、前記圧着部の内部長さより短い長さの前記絶縁被覆を剥がし、前記導体を露出させてから形成し、前記圧着部に前記目印の位置まで挿入した前記電線先端部を圧着接続することを特徴とする。
【００４３】
この発明によれば、被覆電線における電線先端部の導体が圧着端子の圧着部内の所定位置まで挿入されたことを、該圧着部の外部から確実に目視で確認することができるとともに、電線先端部と圧着部を所定の圧着状態に圧着接続することができる。
【００４４】
詳しくは、例えば、被覆電線における先端側の絶縁被覆を剥がして導体を所定長さ露出させた電線先端部を、先端側が閉じられた圧着部に挿入した際、被覆電線の先端側に露出した導体が圧着部内の適切な深さ挿入されたか、圧着部の外部から目視で確認することが不可能である。
【００４５】
これに対し、本発明の被覆電線の端子接続方法は、被覆先端部の外周面に、電線先端部の先端側端面を基準として、電線先端部の圧着部に挿入される挿入長さに応じた距離を隔てた位置に目印を形成しているので、被覆電線の電線先端部を、圧着端子の圧着部に対して上述した目印の位置まで挿入すれば、電線先端部に露出する導体を、例えば、クローズドバレル型やオープンバレル型等の圧着部内の所定位置まで正確かつ確実に挿入することができる。
【００４６】
さらに、所定位置に挿入された電線先端部の導体と圧着部を圧着するので、該導体と圧着部を所定の圧着状態に圧着接続することができ、所望の導電状態を得ることができる。  
上述した被覆電線の電線先端部を、圧着端子の圧着部に対して目印の位置まで挿入する場合、例えば、目印の一部が圧着部より外部に露出していてかつ一部が隠れる位置まで挿入すれば、電線先端部に露出した導体を圧着部内の所定位置まで挿入することができる。
【００４７】
また、前記目印を、前記圧着部の内部長さより短い長さの前記絶縁被覆を剥がし、前記導体を露出させてから形成し、前記圧着部に前記目印の位置まで挿入した前記電線先端部を圧着接続するため、目印を、電線先端部の先端側端面から圧着部の内部長さと対応する距離を隔てた位置に形成しているので、電線先端部を圧着部に挿入する際、例えば、目印の中央と圧着部の後端とが一致する位置まで挿入すれば、その圧着部より露出する目印を目視するだけで、電線先端部に露出した導体が圧着部内の所定位置まで挿入されたことを、該圧着部の外部から確実に目視で確認することができ、電線先端部に露出した導体を、圧着部内の所定位置まで正確かつ確実に挿入することができる。
【００４８】
被覆電線における電線先端部の導体が圧着端子の圧着部内の所定位置まで挿入されたことを、該圧着部の外部から確実に目視で確認することができるとともに、電線先端部と圧着部を所定の圧着状態に圧着接続することができる。
【発明の効果】
【００４９】
この発明によれば、被覆電線における電線先端部の導体が圧着端子の圧着部に対して所定位置まで挿入されたことを、該圧着部の外部から確実に目視で確認することができるとともに、電線先端部と圧着部を所定の圧着状態に圧着接続することができる被覆電線の端子接続構造、ワイヤハーネス及び被覆電線の端子接続方法を提供することができる。
【図面の簡単な説明】
【００５０】
【図１】第１実施形態の雌型圧着端子付き電線の説明図。
【図２】雌型圧着端子付き電線の圧着部の幅方向中央縦断面図。
【図３】丸形目印を備えた電線先端部を圧着部に挿入する際の説明図。
【図４】第２実施形態の電線先端部を圧着部に挿入する際の説明図。
【図５】第３実施形態の電線先端部を圧着部に挿入する際の説明図。
【図６】第４実施形態の電線先端部を圧着部に挿入する際の説明図。
【図７】第５実施形態の電線先端部を圧着部に挿入する際の説明図。
【図８】第６実施形態の電線先端部を圧着部に挿入する際の説明図。
【図９】コネクタについての説明斜視図。
【図１０】第７実施形態の電線先端部を圧着部に挿入する際の説明図。
【図１１】第８実施形態の電線先端部を圧着部に挿入する際の説明図。
【図１２】第９実施形態の電線先端部を圧着部に挿入する際の説明図。
【図１３】第１０実施形態の電線先端部を圧着部に挿入する際の説明図。
【発明を実施するための形態】
【００５１】
この発明の一実施形態を以下図面に基づいて詳述する。  
（第１実施形態）
図面は雌型圧着端子１０と被覆電線２００とを圧着接続した端子接続構造を示し、図１は第１実施形態の雌型圧着端子付き電線１の説明図であり、詳しくは、図１（ａ）は雌型圧着端子１０と被覆電線２００とを圧着接続した斜視図、図１（ｂ）は雌型圧着端子１０と被覆電線２００の斜視図で、電線先端部２００ａを圧着部３０に挿入する直前の様子を示している。
【００５２】
図２は雌型圧着端子付き電線１の圧着部３０の幅方向中央縦断面図であり、詳しくは、図２（ａ）は電線先端部２００ａに圧着接続した圧着部３０の圧着形状を示す断面図、図２（ｂ）は圧着接続した電線先端部２００ａ及び圧着部３０の断面図を示している。
【００５３】
図３は丸形状の目印５０を備えた電線先端部２００ａを圧着部３０に挿入する際の説明図であり、詳しくは、図３（ａ）は電線先端部２００ａを圧着部３０に挿入する直前の状態を示す縦断面図、図３（ｂ）は電線先端部２００ａを圧着部３０に対して目印５０の中心位置まで挿入した直後の状態を示す縦断面図、図３（ｃ）は電線先端部２００ａを圧着部３０に対して目印５０の略全体が露出される位置まで挿入した状態を示す縦断面図である。
【００５４】
本実施形態の雌型圧着端子付き電線１は、図１（ａ）、及び図２に示すように、被覆電線２００を雌型圧着端子１０に接続して構成している。つまり、被覆電線２００における電線先端部２００ａを、雌型圧着端子１０の圧着部３０に圧着接続している。
【００５５】
雌型圧着端子１０は、図１に示すように、該雌型圧着端子１０の長手方向Ｘの先端側である前方から後方に向かって、図示省略する雄型圧着端子における挿入タブの挿入を許容するボックス部２０と、ボックス部２０の後方で、所定長さのトランジション部４０を介して配置された圧着部３０とを一体に構成している。
【００５６】
詳述すると、雌型圧着端子１０は、表面が錫メッキ（Ｓｎメッキ）された黄銅等の銅合金条（図示せず）で構成され、長手方向Ｘの前方側から見て中空四角柱体のボックス部２０と、後方側から見て略筒状の圧着部３０とからなるクローズドバレル型の端子であり、ボックス部２０に挿入する挿入タブを備えた雄型圧着端子の圧着部も同様の構造で構成している。
【００５７】
なお、長手方向Ｘとは、図１に示すように、圧着部３０を圧着して接続する被覆電線２００の長手方向と一致する方向であり、幅方向Ｙとは、長手方向Ｘに対して平面方向において交差する方向である。また、圧着部３０に対するボックス部２０の側を前方とし、逆に、ボックス部２０に対する圧着部３０の側を後方としている。
【００５８】
ボックス部２０は、内部に、長手方向Ｘの後方に向かって折り曲げられ、挿入される雄型コネクタの挿入タブ（図示省略）に接触する弾性接触片２１を備えている。  
また、ボックス部２０は、底面部２２の長手方向Ｘと直交する幅方向Ｙの両側部に連設された側面部２３を重なり合うように折り曲げて、長手方向Ｘの先端側から見て略矩形状に構成している。
【００５９】
圧着部３０は、電線圧着部３１と封止部３２とを後方側から前方側へこの順に配設するとともに、周方向全体において連続する連続形状で一体に形成している。  
封止部３２は、電線圧着部３１よりも前方端部を略平板状に押し潰すように変形させて、雌型圧着端子１０を構成する板状同士が重合する偏平形状で構成している。これにより、圧着部３０の内部に、該圧着部３０の先端側から水分が浸入することを防止できる。
【００６０】
電線圧着部３１は、被覆圧着部３１ａと導体圧着部３１ｂとを、後方側から前方側に向けてこの順に連続して直列に配設している。また、電線圧着部３１は、被覆圧着部３１ａから導体圧着部３１ｂにかけて電線先端部２００ａ（導体先端部２０１ａ及び被覆先端部２０２ａ）を挿入可能に後方側のみが開口するとともに、先端側、及び周面部全体が開口していない中空形状（筒状）に構成している。
【００６１】
被覆圧着部３１ａは、電線先端部２００ａを電線圧着部３１に挿入した状態において、電線圧着部３１の長手方向Ｘにおける被覆先端部２０２ａに相当する部分であり、被覆先端部２０２ａを囲繞可能な中空形状に形成している。
【００６２】
導体圧着部３１ｂは、電線先端部２００ａを電線圧着部３１に挿入した状態において、電線圧着部３１の長手方向Ｘにおける導体先端部２０１ａに相当する部分であり、導体先端部２０１ａを囲繞可能な中空形状に形成している。  
なお、被覆圧着部３１ａ、及び導体圧着部３１ｂは、圧着前の状態においては互いに略同じ径をした筒状である。
【００６３】
上述の雌型圧着端子１０に圧着接続する被覆電線２００は、アルミニウム素線を束ねたアルミニウム芯線２０１を、絶縁樹脂で構成する絶縁被覆２０２で被覆して構成している。詳しくは、アルミニウム芯線２０１は、断面が０．７５ｍｍ２となるように、複数本のアルミニウム合金線を束ねて構成している。
【００６４】
電線先端部２００ａは、被覆電線２００の先端部分において、絶縁被覆２０２の被覆先端部２０２ａとアルミニウム芯線２０１の導体先端部２０１ａとを先端側へ向けてこの順に直列に備えた部分である。
【００６５】
導体先端部２０１ａは、被覆電線２００の先端側の絶縁被覆２０２を、雌型圧着端子１０における圧着部３０の内部長さＬより短く、電線圧着部３１の導体圧着部３１ｂと対応する所定長さ分だけ剥がしてアルミニウム芯線２０１を露出させた部分である（図３参照）。
【００６６】
その所定長さ露出した導体先端部２０１ａに対して導体圧着部３１ｂのうち電気的接続を成す部分であるセレーション部分（図１０参照）が全域にて接触するよう圧着される範囲を、所望の導電状態に圧着接続される範囲として設定している。  
また、被覆先端部２０２ａは、被覆電線２００の先端部分であるが、被覆先端面２０２ａａよりも後方側部分であって、アルミニウム芯線２０１を絶縁被覆２０２で被覆した部分である。
【００６７】
絶縁被覆２０２における被覆先端部２０２ａの外周面には、被覆電線２００の電線先端部２００ａを、導体先端部２０１ａの導体先端面２０１ａａが圧着部３０内の封止側内壁面に対して当接される深さ挿入した状態において、その導体先端部２０１ａの導体先端面２０１ａａから圧着部３０の内部長さＬと対応する距離を隔てた位置に丸形状の目印５０をマーキングしている。
【００６８】
目印５０は、導体先端部２０１ａの導体先端面２０１ａａから圧着部３０の内部長さＬと対応する距離を隔てた位置であって、圧着部３０の開口側後端部に沿って設定した仮想基準線Ｚと目印５０の中心とが一致する位置にマーキングしている。また、目印５０は、被覆先端部２０２ａの外周面に沿って周方向に所定間隔を隔てて３個配列している（図３（ａ）参照）。
【００６９】
なお、圧着部３０の内部長さＬは、導体先端部２０１ａの導体先端面２０１ａａが当接される圧着部３０の封止側内壁面から、絶縁被覆２０２の被覆先端部２０２ａが露出される圧着部３０の開口側後端部に至る距離に設定している。
【００７０】
上述の目印５０は、図示しないレーザー式マーキング装置から投光されるレーザーを、レーザマーキング速度１０００ｍｍ／ｓで、絶縁被覆２０２における被覆先端部２０２ａの外周面に照射し、そのレーザーの照射により、被覆先端部２０２ａの外周面おける少なくとも一部分の色を、目印５０の周辺部分の絶縁被覆２０２と異なる判別しやすい色（具体的には、黒色、灰色等）に変色させてマーキングしている。
【００７１】
なお、レーザー式マーキング装置から投光するレーザーとして、ＣＯ２レーザーを用いてマーキングすると、例えば、ＵＶレーザーを用いてマーキングする場合に比べて、ＣＯ２レーザーはＵＶレーザーより波長が長いため、被覆電線２００の絶縁被覆２０２へのダメージを低減でき、圧着状態における止水性を確保することができる。
【００７２】
レーザー式マーキング装置に代わる他の例として、例えば、所定温度に加熱された焼き鏝を、絶縁被覆２０２における被覆先端部２０２ａの外周面に押し付け、その焼き鏝の熱により、被覆先端部２０２ａの外周面における少なくとも一部分の色を、目印５０の周辺部分と異なる判別しやすい色に変色させてマーキングしてもよい。
【００７３】
また、インクジェット式マーキング装置などによってインクで目印５０をマーキングしてもよいが、レーザー式マーキング装置からレーザーを投光してマーキングした方が、目印５０の位置精度よくマーキングすることができる。
【００７４】
また、目印５０の個数を、例えば、１個、２個、３個以上等の所望する個数設定してもよい。さらに、目印５０の形状を、例えば、三角、四角、星形、菱形、楕円形、×形等の判別しやすい形状に設定してもよく、実施例の個数や形状のみに限定されるものではない。
【００７５】
続いて、上述した被覆電線２００の電線先端部２００ａに、雌型圧着端子１０の圧着部３０を圧着接続する接続方法、及び、その際に奏する作用効果について図３を用いて説明する。
【００７６】
先ず、被覆電線２００の電線先端部２００ａを、雌型圧着端子１０の圧着部３０に対して後方側から前方側に向けて長手方向Ｘに挿入し、目印５０の略左側半分が圧着部３０の内部に隠れるとともに、目印５０の略右側半分が圧着部３０より外部に露出される位置まで挿入する（図３（ａ）参照）。
【００７７】
上述の目印５０は、アルミニウム芯線２０１の導体先端面２０１ａａから圧着部３０の内部長さＬと対応する距離を隔てた位置に配置しているので、被覆電線２００の電線先端部２００ａを、雌型圧着端子１０の圧着部３０に対して上述した目印５０の位置まで挿入すれば、アルミニウム芯線２０１の導体先端部２０１ａが圧着部３０の封止側内壁面に対して当接される（図３（ｂ）参照）。
【００７８】
つまり、被覆電線２００の電線先端部２００ａが圧着部３０の内部長さＬと対応する長さだけ挿入されるため、アルミニウム芯線２０１の導体先端部２０１ａが、圧着部３０内の所定位置に到達したことになる。
【００７９】
この状態で、図示しない圧着治具により被覆電線２００の電線先端部２００ａと圧着部３０の電線圧着部３１を圧着すれば、図２に示すように、被覆電線２００の電線先端部２００ａに対して、雌型圧着端子１０の圧着部３０を所定の圧着状態に圧着接続することができる（図２参照）。
【００８０】
上述のように、被覆電線２００の電線先端部２００ａを、雌型圧着端子１０の圧着部３０に対して上述した目印５０の位置まで挿入した際、電線先端部２００ａにマーキングした目印５０の少なくとも一部が圧着部３０より外部に露出していてかつ一部が隠れていれば、その露出した目印５０の一部を目視するだけで、アルミニウム芯線２０１の導体先端部２０１ａが圧着部３０内の所定位置まで挿入されたことを、該圧着部３０の外部から確実に目視で確認することができる。
【００８１】
目印５０の全体が圧着部３０より外部に露出していれば、その露出する目印５０の全体を目視するだけで、電線先端部２００ａの圧着部３０に対する挿入が浅く、過少に挿入されていることを、該圧着部３０の外部から確実に目視で確認することができる（図３（ｃ）参照）。  
なお、目印５０の全体が圧着部３０に隠れて見えなければ、アルミニウム芯線２０１の導体先端部２０１ａが圧着部３０に対して過剰に挿入されていることになる。
【００８２】
したがって、電線先端部２００ａを、圧着部３０の開口側後端部と目印５０の中心とが一致する位置まで挿入すれば、圧着部３０より外部に露出する目印５０を目視するだけで、アルミニウム芯線２０１の導体先端部２０１ａが圧着部３０内の所定位置まで挿入されたことを、該圧着部３０の外部から確実に目視で確認することができる。
【００８３】
この結果、アルミニウム芯線２０１の導体先端部２０１ａを圧着部３０内の所定位置に挿入したまま、電線先端部２００ａに圧着部３０を圧着接続すれば、所望の通電状態が得られる。  
なお、目印５０の形状を左右対称でかつ中央部がわかりやすい形状（例えば、∞等）とすることで、目印５０の中心と圧着部３０の開口側後端部とが一致するように位置合わせしやすい。
【００８４】
このように構成した雌型圧着端子１０と被覆電線２００とを圧着接続する端子接続構造は、圧着部３０における先端側を封止部３２にて、被覆電線２００のアルミニウム芯線２０１が外部に露出されないように完全封止しているため、圧着後において、圧着部３０の内部に、該圧着部３０の先端側から水分が浸入することを防止できる。
【００８５】
よって、銅や銅合金等の貴な金属である銅あるいは銅合金製の雌型圧着端子１０と、卑な金属であるアルミニウムあるいはアルミニウム合金製のアルミニウム芯線２０１との接触部分に水分が付着することで生じる電食の発生を防止することができる。
【００８６】
したがって、アルミニウム芯線２０１の表面が腐食し、雌型圧着端子１０とアルミニウム芯線２０１との導電性が低下することを防止でき、止水状態を長期に亘って維持することができるので、高い信頼性を得ることができる。
【００８７】
つまり、上述したアルミニウム芯線２０１の導体先端部２０１ａを、圧着部３０に対して所定位置に挿入したまま圧着接続することで、銅系材料による導体を有する被覆電線に比べて軽量化を図りながら、いわゆる電食を防止することができる。  
この結果、雌型圧着端子１０と、被覆電線２００のアルミニウム芯線２０１を構成する金属種によらず、安定した導電性を確保した接続状態の端子接続構造を構成することができる。しかしながら、もちろん銅系材料で構成する素線を束ねた芯線を絶縁被覆２０２で被覆した被覆電線を用いてもよい。
【００８８】
さらに、電線先端部２００ａにマーキングした目印５０は、該目印５０の周辺部分の絶縁被覆２０２と異なる色に変色しているので、圧着部３０より外部に露出する目印５０と該目印５０の周辺部分とが判別しやすく、アルミニウム芯線２０１の導体先端部２０１ａが圧着部３０内の所定位置まで挿入されたことを、該圧着部３０の外部から確実に目視で確認することができ、誤認が起きることを防止できる。
【００８９】
しかも、目印５０は、絶縁被覆２０２の一部表面を変色させて構成しているため、電線先端部２００ａを圧着部３０に挿入する際、目印５０が剥離したり、色が薄くなったりせず、目視で確認することができる状態を長期に亘って維持することができる。  
なお、目印５０の目視確認は、直接目印を目視してもよく、画像検査により、モニタなどを通して確認してもよく、さらには、検査画像に画像処理を施してから目視してもよい。
【００９０】
次に、上述のように構成した雌型圧着端子付き電線１の雌型圧着端子１０を用いた圧着接続構造体１ａと、雄型圧着端子（図示せず）を用いた圧着接続構造体１ｂとを、一対のコネクタハウジング３００にそれぞれ装着した例を、図９を用いて説明する。  
なお、圧着接続構造体１ａは、雌型圧着端子１０を用いた接続構造体であり、圧着接続構造体１ｂは、雄型圧着端を用いた接続構造体である。
【００９１】
上述の圧着接続構造体１ａ，１ｂを、コネクタハウジング３００のそれぞれに装着することによって、確実な導電性を備えた雌型コネクタ３ａと雄型コネクタ３ｂとを構成することができる。
【００９２】
なお、以下の説明では、雌型コネクタ３ａと雄型コネクタ３ｂとの両方がワイヤハーネス３０１（３０１ａ，３０１ｂ）のコネクタである例を示すが、一方をワイヤハーネスのコネクタ、他方を基板や部品等の補機のコネクタとしてもよい。
【００９３】
詳しくは、図９に示すように、雌型圧着端子付き電線１の雌型圧着端子１０で構成した圧着接続構造体１ａを、雌型のコネクタハウジング３００に装着して、雌型コネクタ３ａを備えたワイヤハーネス３０１ａを構成する。  
また、雄型圧着端子で構成した圧着接続構造体１ｂを、雄型のコネクタハウジング３００に装着して、雄型コネクタ３ｂを備えたワイヤハーネス３０１ｂを構成する。
【００９４】
上述のように構成した雌型コネクタ３ａと雄型コネクタ３ｂとを嵌合することによって、ワイヤハーネス３０１ａとワイヤハーネス３０１ｂとを接続することができる。  
コネクタハウジング３００には、圧着接続構造体１ａ，１ｂを装着しているため、確実な導電性を備えたワイヤハーネス３０１の接続を実現することができる。
【００９５】
つまり、上述の圧着接続構造体１ａの雌型圧着端子１０と、圧着接続構造体１ｂの雄型圧着端子は、被覆電線２００におけるアルミニウム芯線２０１の導体先端部２０１ａが圧着部３０によって一体的に覆われており、外部に露出しない封止構造を備えている。
【００９６】
このため、コネクタハウジング３００の内部において外気に曝されても、電食による導電性の低下がおこることなく、圧着部３０の内部におけるアルミニウム芯線２０１と雌型圧着端子１０との電気的接続状態を維持することができ、確実な導電性を備えた接続状態を確保することができる。
【００９７】
なお、図９では、複数本の圧着接続構造体１ａ，１ｂでワイヤハーネス３０１を構成しているが、１本の圧着接続構造体１ａ，１ｂをコネクタハウジング３００に装着してワイヤハーネス３０１を構成してもよい。
【００９８】
下記の第２〜第１０実施形態において、第１実施形態と同一構成の部分は同一の符号を記してその詳細な説明を省略する。  
（第２実施形態）
上述の第１実施形態では、目印５０を、圧着部３０の内部長さＬと対応する距離を隔てた位置に１つマーキングした例を説明したが、図４に示す第２実施形態のように、丸形の目印５１，５２を、圧着部３０の内部長さＬと対応する距離を隔てた位置と、該位置より先端側寄りの位置とに分けて複数マーキングしてもよい。
【００９９】
図４は第２実施形態の目印５１，５２が前後に配置された電線先端部２００ａを圧着部３０に挿入する際の説明図であり、詳しくは、図４（ａ）は電線先端部２００ａを圧着部３０に挿入する直前の状態を示す縦断面図、図４（ｂ）は電線先端部２００ａを圧着部３０に対して目印５１の位置まで挿入した直後の状態を示す縦断面図、図４（ｃ）は電線先端部２００ａを圧着部３０に対して目印５２の位置まで挿入した状態を示す縦断面図である。
【０１００】
詳しくは、後側の目印５１は、アルミニウム芯線２０１における導体先端部２０１ａの導体先端面２０１ａａから圧着部３０の内部長さＬと対応する距離を隔てた位置の外周面に沿って周方向に所定間隔を隔てて３個配置している。
【０１０１】
一方、前側の目印５２は、後側の目印５１よりも先端側寄りで、該目印５０の位置から導体先端方向に対して、アルミニウム芯線２０１の導体先端部２０１ａと圧着部３０の導体圧着部３１ｂとが所望の導電状態に圧着接続される範囲以下の距離を隔てた位置の外周面に沿って周方向に所定間隔を隔てて３個配置している。  
さらに、目印５１，５２は、アルミニウム芯線２０１の導体先端部２０１ａと圧着部３０の導体圧着部３１ｂとが所望の導電状態に圧着接続が許容される範囲より狭い間隔を隔てて長手方向Ｙに配置している。
【０１０２】
上述の目印５１，５２がマーキングされた被覆電線２００の電線先端部２００ａを、雌型圧着端子１０の圧着部３０に対して目印５１の位置まで挿入した際（図４（ａ）参照）、目印５１の全体が圧着部３０に隠れて見えなければ、アルミニウム芯線２０１の導体先端部２０１ａが圧着部３０に対して過剰に挿入されていることになる。
【０１０３】
電線先端部２００ａを、圧着部３０の開口側後端部と目印５１の中心とが一致する位置まで挿入すれば、圧着部３０より外部に露出する目印５１を目視するだけで、アルミニウム芯線２０１の導体先端部２０１ａが圧着部３０内の所定位置まで挿入されたことを、該圧着部３０の外部から確実に目視で確認することができる（図４（ｂ）参照）。  
この状態で、被覆電線２００の電線先端部２００ａと、雌型圧着端子１０の圧着部３０を圧着接続するので、前記実施形態と略同等の作用及び効果を奏することができる。
【０１０４】
目印５２の少なくとも一部が圧着部３０より外部に露出していれば、その露出する目印５２の一部を目視するだけで、電線先端部２００ａの圧着部３０に対する挿入が浅く、過少に挿入されていることを、該圧着部３０の外部から確実に目視で確認することができる（図４（ｃ）参照）。
【０１０５】
したがって、目印５１と目印５２とを組み合わせて前後配置することにより、アルミニウム芯線２０１の導体先端部２０１ａが圧着部３０内の所定位置まで挿入された良品であるかを、より確実に判定することができる。
【０１０６】
なお、目印５１，５２を、目印５１，５２の周辺部分の絶縁被覆２０２と異なる判別しやすい色（具体的には、青色、赤色等）に設定してもよく、例えば、目印５１を青色に設定し、目印５２を赤色に設定すれば、目印５１，５２同士や周辺部分とが判別しやすくなるため、圧着部３０より外部に露出する目印５１，５２の目視確認がより確実に行える。
【０１０７】
（第３実施形態）
続いて、上述の第２実施形態では、同一形状の目印５１，５２を、絶縁被覆２０２の一部表面を変色させてマーキングした構成について説明したが、図５に示す第２実施形態のように、異なる形状の丸形目印６１と三角目印６２とを長手方向Ｘに対して所定間隔を隔ててマーキングしてもよい。
【０１０８】
図５は第３実施形態の異なる形状の丸形目印６１と三角目印６２とを備えた電線先端部２００ａを圧着部３０に挿入する際の説明図であり、詳しくは、図５（ａ）は電線先端部２００ａを圧着部３０に挿入する直前の状態を示す縦断面図、図５（ｂ）は電線先端部２００ａを圧着部３０に対して目印６１の位置まで挿入した直後の状態を示す縦断面図、図５（ｃ）は電線先端部２００ａを圧着部３０に対して目印６２の位置まで挿入した状態を示す縦断面図である。
【０１０９】
詳しくは、丸形の目印６１は、導体先端部２０１ａの導体先端面２０１ａａから圧着部３０の内部長さＬと対応する距離を隔てた位置の外周面にマーキングしている。  
一方、三角の目印６２は、目印６１よりも先端側寄りで、該目印６２の位置から導体先端方向に対して、アルミニウム芯線２０１の導体先端部２０１ａと圧着部３０の導体圧着部３１ｂとが所望の導電状態に圧着接続される範囲以下の距離を隔てた位置の外周面にマーキングしている。  
さらに、目印６１，６２は、アルミニウム芯線２０１の導体先端部２０１ａと圧着部３０の導体圧着部３１ｂとが所望の導電状態に圧着接続が許容される範囲より狭い間隔を隔てて長手方向Ｘに配置している。
【０１１０】
上述の目印６１，６２がマーキングされた被覆電線２００の電線先端部２００ａを、雌型圧着端子１０の圧着部３０に対して目印６１の位置まで挿入した際（図５（ａ）参照）、目印６１の全体が圧着部３０に隠れて見えなければ、アルミニウム芯線２０１の導体先端部２０１ａが圧着部３０に対して過剰に挿入されていることになる。
【０１１１】
電線先端部２００ａを、圧着部３０の開口側後端部と目印６１の中心とが一致する位置まで挿入すれば、圧着部３０より外部に露出する目印６１を目視するだけで、アルミニウム芯線２０１の導体先端部２０１ａが圧着部３０内の所定位置まで挿入されたことを、該圧着部３０の外部から確実に目視で確認することができる。（図５（ｂ）参照）。  
この状態で、被覆電線２００の電線先端部２００ａと、雌型圧着端子１０の圧着部３０を圧着接続するので、前記実施形態と略同等の作用及び効果を奏することができる。
【０１１２】
目印６２の少なくとも一部が圧着部３０より外部に露出していれば、その露出する目印６２の一部を目視するだけで、電線先端部２００ａの圧着部３０に対する挿入が浅く、過少に挿入されていることを、該圧着部３０の外部から確実に目視で確認することができる（図５（ｃ）参照）。
【０１１３】
したがって、目印６１と目印６２とを組み合わせて前後配置することにより、アルミニウム芯線２０１の導体先端部２０１ａが圧着部３０内の所定位置まで挿入された良品であるかを、より確実に判定することができる。  
また、目印６１，６２の目印形状が異なれば、目印同士や周辺部分が判別しやすくなるため、圧着部３０より外部に露出する目印６１の目視確認がより確実に行える。
【０１１４】
なお、目印６１，６２を、目印６１，６２の周辺部分の絶縁被覆２０２と異なる判別しやすい色（具体的には、緑色、赤色等）に設定してもよく、例えば、目印６１を赤色に設定し、目印６２を緑色に設定すれば、目印６１，６２の色と形状とが異なるので、形状のみで見分けるよりも、目印６１，６２同士や周辺部分とがより一段と判別しやすくなり、圧着部３０より外部に露出する目印６１，６２の目視確認がより確実に行える。
【０１１５】
なお、上述の第１〜第３実施形態では、目印５０〜５２、６１，６２を、絶縁被覆２０２の一部表面を変色させてマーキングした構成について説明したが、目印５０〜５２を、絶縁被覆２０２の外周面における少なくとも一部分の表面に、目印５０〜５２の周辺部分と異なる色の材料を付与して構成してもよい。
【０１１６】
上述の目印５０〜５２を付与する場合、図示しないスクリーン印刷やオフセット印刷からなるマーキング装置やインクジェット式マーキング装置にて、目印５０〜５２周辺の部分と異なる判別しやすい色（具体的には、赤色、緑色等）のインクを印刷又は塗布してマーキングしている。
【０１１７】
この結果、圧着部３０より外部に露出する目印５０〜５２と該目印５０〜５２の周辺部分とが判別しやすく、アルミニウム芯線２０１の導体先端部２０１ａが圧着部３０内の所定位置まで挿入されたことを、該圧着部３０の外部からより確実に目視で確認することができ、誤認が起きることを防止できる。
【０１１８】
また、目印５０〜５２、６１，６２を、絶縁被覆２０２に練り込んだ色の異なる材料にて構成してもよく、圧着部３０より外部に露出する目印５０〜５２と該目印５０〜５２の周辺部分とが判別しやすいので、アルミニウム芯線２０１の導体先端部２０１ａが圧着部３０内の所定位置まで挿入されたことを、該圧着部３０の外部からより確実に目視で確認することができる。
【０１１９】
しかも、目印５０〜５２は、絶縁被覆２０２に対して一体的に練り込んでいるため、電線先端部２００ａを圧着部３０に挿入する際、目印５０〜５２が剥離したり、色が薄くなったりせず、目視確認することができる状態を長期に亘って維持することができる。
【０１２０】
（第４実施形態）
上述の第１〜第３実施形態では、同一形状の目印５０〜５２と異なる形状の目印６１，６２とを、絶縁被覆２０２の一部表面にマーキングした構成について説明したが、図６に示す第４実施形態のように、異なる線種の線状目印７１と破線目印７２とを長手方向Ｘに対して所定間隔を隔てて印刷又は塗布するなどしてマーキングしてもよい。
【０１２１】
図６は第４実施形態の線状の目印７１と破線の目印７２とを備えた電線先端部２００ａを圧着部３０に挿入する際の説明図であり、詳しくは、図６（ａ）は電線先端部２００ａを圧着部３０に挿入する直前の状態を示す縦断面図、図６（ｂ）は電線先端部２００ａを圧着部３０に対して目印７１の位置まで挿入した直後の状態を示す縦断面図、図６（ｃ）は電線先端部２００ａを圧着部３０に対して目印７２の位置まで挿入した状態を示す縦断面図である。
【０１２２】
詳しくは、線状の目印７１は、導体先端部２０１ａの導体先端面２０１ａａから圧着部３０の内部長さＬと対応する距離を隔てた位置の外周面に沿って周方向にマーキングしている。
【０１２３】
一方、破線の目印７２は、目印７１よりも先端側寄りで、該目印７１の位置から導体先端方向に対して、アルミニウム芯線２０１の導体先端部２０１ａと圧着部３０の導体圧着部３１ｂとが所望の導電状態に圧着接続される範囲以下の距離を隔てた位置の絶縁被覆２０２の外周面に沿って周方向にマーキングしている。
【０１２４】
さらに、目印７１，７２は、アルミニウム芯線２０１の導体先端部２０１ａと圧着部３０の導体圧着部３１ｂとが所望の導電状態に圧着接続が許容される範囲より狭い間隔を隔てて長手方向Ｙに配置している。  
なお、目印７１，７２の位置あるいは間隔を、例えば、導体先端部２０１ａの導体先端面２０１ａａと、被覆先端部２０２ａの被覆先端面２０２ａａとを基準として設定してもよい。
【０１２５】
上述の目印７１，７２は、図示しないスクリーン印刷やオフセット印刷からなるマーキング装置やインクジェット式マーキング装置にて、目印７１，７２の周辺部分の絶縁被覆２０２と異なる判別しやすい色（具体的には、赤色、緑色等）のインクを印刷又は塗布してマーキングしている。例えば、目印７１を赤色に設定し、目印７２を緑色に設定すれば、目印７１，７２の線種と色とが異なるため、判別しやすくなる。
【０１２６】
上述の目印７１，７２がマーキングされた被覆電線２００の電線先端部２００ａを、雌型圧着端子１０の圧着部３０に対して目印７１の位置まで挿入した際（図６（ａ）参照）、目印７１の全体が圧着部３０に隠れて見えなければ、アルミニウム芯線２０１の導体先端部２０１ａが圧着部３０に対して過剰に挿入されていることになる。
【０１２７】
電線先端部２００ａを、圧着部３０の開口側後端部と目印７１とが略一致する位置まで挿入すれば、圧着部３０より外部に露出する目印７１を目視するだけで、アルミニウム芯線２０１の導体先端部２０１ａが圧着部３０内の所定位置まで挿入されたことを、該圧着部３０の外部から確実に目視で確認することができる（図６（ｂ）参照）。  
この状態で、被覆電線２００の電線先端部２００ａに対して、雌型圧着端子１０の圧着部３０を圧着接続するので、前記実施形態と略同等の作用及び効果を奏することができる。
【０１２８】
目印７２が圧着部３０より外部に露出していれば、その露出する目印７２を目視するだけで、電線先端部２００ａの圧着部３０に対する挿入が浅く、過少に挿入されていることを、該圧着部３０の外部から確実に目視で確認することができる（図６（ｃ）参照）。
【０１２９】
したがって、目印７１と目印７２とを組み合わせて前後配置することにより、アルミニウム芯線２０１の導体先端部２０１ａが圧着部３０内の所定位置まで挿入された良品であるかを、より確実に判定することができる。  
また、目印７１，７２の線種と色とが異なるため、線種のみで見分けるよりも、目印７１，７２同士や周辺部分とがより一段と判別しやすくなり、圧着部３０より外部に露出する目印７１，７２の目視確認がより確実に行える。
【０１３０】
また、絶縁被覆２０２の外周面に沿って周方向にマーキングして破線の目印７２を設けているため、目印が水の通り道になって止水性が低下するおそれがある長手方向Ｙに沿って目印をマーキングした場合に比べて、圧着状態における確実な止水性を得ることができる。
【０１３１】
（第５実施形態）
上述の第４実施形態では、異なる線種の線状目印７１と破線目印７２とを、絶縁被覆２０２の外周面にマーキングした例を説明したが、図７に示す第５実施形態のように、幅広の目印８０を、絶縁被覆２０２の外周面に沿って周方向に装着してもよい。
【０１３２】
図７は第５実施形態の幅広の目印８０を備えた電線先端部２００ａを圧着部３０に挿入する際の説明図であり、詳しくは、図７（ａ）は電線先端部２００ａを圧着部３０に挿入する直前の状態を示す縦断面図、図７（ｂ）は電線先端部２００ａを圧着部３０に対して目印８０の後端が露出される位置まで挿入した直後の状態を示す縦断面図、図７（ｃ）は電線先端部２００ａを圧着部３０に対して目印８０の前端が隠れる位置まで挿入した状態を示す縦断面図である。
【０１３３】
詳しくは、幅広の目印８０は、被覆電線２００の長手方向Ｘに沿って幅広に形成している。その目印８０の長手方向Ｘにおける幅は、アルミニウム芯線２０１の導体先端部２０１ａと圧着部３０の導体圧着部３１ｂとが所望の導電状態に圧着接続される範囲と対応する幅に設定している。
【０１３４】
つまり、目印８０の後端側は、導体先端部２０１ａの導体先端面２０１ａａから圧着部３０の内部長さＬと対応する距離を隔てた位置を含む絶縁被覆２０２の外周面に形成している。  
目印８０の前端側は、該目印８０の後端側よりも先端側寄りで、該後端側から導体先端方向に対して、アルミニウム芯線２０１の導体先端部２０１ａと圧着部３０の導体圧着部３１ｂとが所望の導電状態に圧着接続される範囲と対応する距離を隔てた位置の絶縁被覆２０２の外周面に形成している。
【０１３５】
なお、目印８０は、絶縁被覆２０２よりも柔軟性を有する合成樹脂などの材料で構成するとともに、絶縁被覆２０２の被覆先端部２０２ａの外周面に沿って該外周面を覆うように周方向に配置している。
【０１３６】
上述の目印８０が形成された被覆電線２００の電線先端部２００ａを、雌型圧着端子１０の圧着部３０に対して目印８０の後端位置まで挿入した際（図７（ａ）参照）、目印８０の後端側が圧着部３０に隠れて見えなければ、アルミニウム芯線２０１の導体先端部２０１ａが圧着部３０に対して過剰に挿入されていることになる。
【０１３７】
電線先端部２００ａを、圧着部３０の開口側後端部と目印８０の後端側とが略一致する位置まで挿入すれば、圧着部３０より外部に露出する目印８０を目視するだけで、アルミニウム芯線２０１の導体先端部２０１ａが圧着部３０内の所定位置まで挿入されたことを、該圧着部３０の外部から確実に目視で確認することができる（図７（ｂ）参照）。  
この状態で、被覆電線２００の電線先端部２００ａに対して、雌型圧着端子１０の圧着部３０を圧着接続するので、前記実施形態と略同等の作用及び効果を奏することができる。
【０１３８】
目印８０の前端側が圧着部３０より外部に露出していれば、その露出する目印８０を目視するだけで、電線先端部２００ａの圧着部３０に対する挿入量が浅く、過少に挿入されていることを、該圧着部３０の外部から確実に目視で確認することができる（図７（ｃ）参照）。
【０１３９】
したがって、目印８０の前端側が圧着部３０に隠れて見えず、目印８０の後端側が圧着部３０より外部に露出した組み合わせとなる挿入状態に挿入することで、アルミニウム芯線２０１の導体先端部２０１ａが圧着部３０内の所定位置まで挿入された良品であるかを、より確実に判定することができる。
【０１４０】
さらに、電線先端部２００ａに圧着部３０を圧着接続した際、高い柔軟性を有する目印８０が圧着形状に追随して変形しやすく、形状変化に対する追随性に優れているため、電線先端部２００ａと圧着部３０との対向面間が密着状態となり止水される。  
この結果、圧着部３０の内部へ水分が侵入することを防止でき、優れた止水性を確保することができる。
【０１４１】
また、絶縁被覆２０２の外周面において被覆電線２００の長手方向Ｘに沿って幅広かつ周方向に形成した目印８０を設けているため、目印が水の通り道になって止水性が低下するおそれがある長手方向Ｙに沿って目印をマーキングした場合に比べて、圧着状態における確実な止水性を得ることができる。
【０１４２】
（第６実施形態）
上述の第５実施形態では、幅広の目印８０を、絶縁被覆２０２の外周面に装着した例を説明したが、図８に示す第６実施形態のように、帯状の目印９０を、絶縁被覆２０２の外周面に沿って長手方向Ｘにマーキングしてもよい。
【０１４３】
図８は第６実施形態の帯状の目印９０を備えた電線先端部２００ａを圧着部３０に挿入する際の説明図であり、詳しくは、図８（ａ）は電線先端部２００ａを圧着部３０に挿入する直前の状態を示す縦断面図、図８（ｂ）は電線先端部２００ａを圧着部３０に対して目印９０の中央位置まで挿入した直後の状態を示す縦断面図、図８（ｃ）は電線先端部２００ａを圧着部３０に対して目印９０の前端側が隠れる位置まで挿入した状態を示す縦断面図である。
【０１４４】
詳しくは、帯状の目印９０は、導体先端部２０１ａの導体先端面２０１ａａから圧着部３０の内部長さＬと対応する距離を隔てた位置から導体先端方向に向けて、アルミニウム芯線２０１の導体先端部２０１ａと圧着部３０の導体圧着部３１ｂとが所望の導電状態に圧着接続される範囲以下の長さに形成している。  
また、目印９０は、被覆先端部２０２ａの外周面おける少なくとも一部分の色を、目印９０の周辺部分の絶縁被覆２０２と異なる判別しやすい色に焼き鏝等で変色させてマーキングしている。
【０１４５】
上述の目印９０がマーキングされた被覆電線２００の電線先端部２００ａを、雌型圧着端子１０における圧着部３０の開口側後端部と目印９０の略中央部とが略一致する位置まで挿入すれば、圧着部３０より外部に露出する目印９０を目視するだけで、アルミニウム芯線２０１の導体先端部２０１ａが、圧着部３０の導体圧着部３１ｂに対して所定位置まで挿入されたことを、該圧着部３０の外部から確実に目視で確認することができる（図８（ａ）（ｂ）参照）。  
この状態で、被覆電線２００の電線先端部２００ａと、雌型圧着端子１０の圧着部３０を圧着接続するので、前記実施形態と略同等の作用及び効果を奏することができる。
【０１４６】
目印９０の前端側が圧着部３０より外部に露出していれば、その露出する目印９０を目視するだけで、電線先端部２００ａの圧着部３０に対する挿入量が浅く、過少に挿入されていることを、該圧着部３０の外部から確実に目視で確認することができる（図８（ｃ）参照）。  
また、目印９０の後端側が圧着部３０に隠れて見えなければ、アルミニウム芯線２０１の導体先端部２０１ａが圧着部３０の導体圧着部３１ｂに対して過剰に挿入されていることになる。
【０１４７】
したがって、目印９０の前端側が圧着部３０に隠れて見えず、目印９０の後端側が圧着部３０より外部に露出した組み合わせとなる挿入状態に挿入することで、アルミニウム芯線２０１の導体先端部２０１ａが圧着部３０内の所定位置まで挿入された良品であるかを、より確実に判定することができる。
【０１４８】
また、目印９０を、例えば、厚みを有する材料で構成しても、柔軟性を有する材料で構成すれば、電線先端部２００ａに圧着部３０を圧着接続した際、その圧着部分の圧着形状に追随して目印９０が変形するため、圧着部分の止水性が損なわれることがない。
【０１４９】
なお、第５実施形態の目印８０と第６実施形態の目印９０を、該目印８０，９０の周辺部分の絶縁被覆２０２と異なる色に構成してもよく、圧着部３０より外部に露出する目印８０，９０と、該目印８０，９０の周辺部分とが判別しやすく、圧着部３０より外部に露出する目印８０，９０の目視確認がより確実に行える。  
また、絶縁被覆２０２の表面を変色（変質を組む）又は該表面に印刷したり、あるいは、絶縁被覆２０２と異なる色の材料を練り込むなどして、目印８０，９０を形成してもよい。
【０１５０】
（第７実施形態）
上述の第２実施形態では、目印５１，５２を、アルミニウム芯線２０１の導体先端部２０１ａと圧着部３０の導体圧着部３１ｂとが所望の導電状態に圧着接続が許容される範囲より狭い間隔を隔てて配置した例を説明したが、図１０に示す第７実施形態のように、丸形の目印５１Ｘ，５２Ｘを、圧着部３０のうちアルミニウム芯線２０１の導体先端部２０１ａと対応するセレーション部分が全域にて接触するように圧着される範囲と対応する距離を隔てて配置してもよい。
【０１５１】
図１０は第７実施形態の目印５１Ｘ，５２Ｘを備えた電線先端部２００ａを圧着部３０に挿入する際の説明図であり、詳しくは、図１０（ａ）は電線先端部２００ａを圧着部３０に対して目印５１Ｘの中心位置まで挿入した直後の状態を示す縦断面図、図１０（ｂ）は電線先端部２００ａを圧着部３０に対して目印５２Ｘの略全体が隠れる位置まで挿入した状態を示す縦断面図である。
【０１５２】
圧着部３０における導体圧着部３１ｂの内周面には、アルミニウム芯線２０１を圧着した状態において、アルミニウム芯線２０１が食い込む、幅方向Ｙの溝であるセレーション３３を、長手方向Ｘに所定間隔を隔てて３本形成している。  
なお、セレーション３３は、導体圧着部３１ｂの内側中央底面から内側両側面に至るまで幅方向Ｙに連続する溝形状で形成している。
【０１５３】
目印５１Ｘは、アルミニウム芯線２０１における導体先端部２０１ａの導体先端面２０１ａａから、該導体先端部２０１ａが圧着部３０のセレーション部分と全域にて接触するように圧着される挿入量に対応した距離を隔てた位置を含む絶縁被覆２０２の外周面に形成している。
【０１５４】
目印５２Ｘは、目印５１Ｘの位置から導体先端方向に対して、導体先端部２０１ａと圧着部３０のセレーション３３を備えたセレーション部分が全域にて接触するように圧着される範囲と対応する距離を隔てた位置に配置している。  
つまり、目印５１Ｘ，５２Ｘは、アルミニウム芯線２０１の導体先端部２０１ａと圧着部３０の導体圧着部３１ｂとが所望の導電状態に圧着接続が許容される範囲と対応する間隔を隔てて長手方向Ｘに配置している。
【０１５５】
上述の目印５１Ｘ，５２Ｘがマーキングされた被覆電線２００の電線先端部２００ａを、雌型圧着端子１０における圧着部３０の開口側後端部と目印５１Ｘの中心とが一致する位置まで挿入すれば、圧着部３０より外部に露出する目印５１Ｘを目視するだけで、アルミニウム芯線２０１の導体先端部２０１ａが圧着部３０内の所定位置まで挿入され、圧着部３０のセレーション部分を圧着接続できる範囲の略全長が導体先端部２０１ａ内に収められた状態に挿入されたことを、圧着部３０の外部から目視で確認することができる（図１０（ａ）参照）。
【０１５６】
この状態で、被覆電線２００の電線先端部２００ａと、雌型圧着端子１０の圧着部３０を圧着接続すれば、導体圧着部３１ｂにより該導体圧着部３１ｂの底面に圧着された導体先端部２０１ａは、凹状のセレーション３３に食い込んで変形するため、導体先端部２０１ａと圧着部３０のセレーション部分が全域にて接触するよう圧着接続することができる。  
これにより、接触面積が増大して電気抵抗の少ない電気的接続を実現することができ、前記実施形態と略同等の作用及び効果を奏することができる。
【０１５７】
また、目印５２Ｘの全体が圧着部３０に隠れて見えず、目印５１Ｘの全体が圧着部３０より外部に露出していれば、その露出する目印５１Ｘを目視するだけで、導体先端部２０１ａの少なくとも先端側が、圧着部３０のセレーション部分を圧着接続できる範囲内に収めた状態に挿入されたことを、圧着部３０の外部から目視で確認することができるとともに、導体先端部２０１ａが圧着部３０のセレーション部分の全域と接触するよう圧着接続することができる（図１０（ｂ）参照）。
【０１５８】
上述のように、目印５１Ｘと目印５２Ｘとを組み合わせて配置することにより、導体先端部２０１ａが圧着部３０のセレーション部分にて圧着される所定位置まで挿入された良品であるかを、より確実に判定することができる。  
なお、上述した第７実施形態の構成は、第２実施形態の目印５１，５２と、第３実施形態の目印６１，目印６２と、第４実施形態の目印７１，７２にも適用することができる。
【０１５９】
（第８実施形態）
上述の第５実施形態では、目印８０を、アルミニウム芯線２０１の導体先端部２０１ａと圧着部３０の導体圧着部３１ｂとが所望の導電状態に圧着接続される範囲と対応する幅に形成した例を説明したが、図１１に示す第８実施形態のように、目印８０Ｘを、導体先端部２０１ａと圧着部３０のセレーション部分が全域にて接触するように圧着接続される範囲と対応する幅に形成してもよい。
【０１６０】
図１１は第８実施形態の幅広の目印８０Ｘを備えた電線先端部２００ａを圧着部３０に挿入する際の説明図であり、詳しくは、図１１（ａ）は電線先端部２００ａを圧着部３０に対して目印８０Ｘの後端側が露出される位置まで挿入した直後の状態を示す縦断面図、図１１（ｂ）は電線先端部２００ａを圧着部３０に対して目印８０Ｘの前端側が隠れる位置まで挿入した状態を示す縦断面図である。
【０１６１】
目印８０Ｘは、被覆電線２００の長手方向Ｘに沿って幅広に形成している。その目印８０Ｘの長手方向Ｘにおける幅は、アルミニウム芯線２０１の導体先端部２０１ａと圧着部３０の導体圧着部３１ｂとが所望の導電状態に圧着接続される範囲と対応する幅に設定している。
【０１６２】
つまり、目印８０Ｘは、導体先端部２０１ａの導体先端面２０１ａａから、該導体先端部２０１ａが圧着部３０のセレーション部分と全域にて接触するように圧着される挿入量に対応した距離を隔てた位置を含む絶縁被覆２０２の外周面に形成している。
【０１６３】
目印８０Ｘの前端側は、該目印８０Ｘの後端側よりも先端側寄りで、該後端側から導体先端方向に対して、導体先端部２０１ａと圧着部３０のセレーション３３を備えたセレーション部分が全域にて接触するように圧着される範囲と対応する距離を隔てた位置の外周面に形成している。
【０１６４】
上述の目印８０Ｘが形成された被覆電線２００の電線先端部２００ａを、雌型圧着端子１０における圧着部３０の開口側後端部と目印８０Ｘの後端側とが略一致する位置まで挿入すれば、圧着部３０より外部に露出する目印８０Ｘを目視するだけで、アルミニウム芯線２０１の導体先端部２０１ａが圧着部３０内の所定位置まで挿入され、導体先端部２０１ａの略全長が、圧着部３０の導体圧着部３１ｂに対して圧着接続が許容される範囲内に収められた状態に挿入されたことを、圧着部３０の外部から目視で確認することができる（図１１（ａ）参照）。
【０１６５】
この状態で、被覆電線２００の電線先端部２００ａと、雌型圧着端子１０の圧着部３０を圧着接続すれば、導体先端部２０１ａと圧着部３０のセレーション部分が全域にて接触するよう圧着接続することができる。  
これにより、接触面積が増大して電気抵抗の少ない電気的接続を実現することができ、前記実施形態と略同等の作用及び効果を奏することができる。
【０１６６】
目印８０Ｘの前端側が圧着部３０に隠れて見えず、目印８０Ｘの後端側が圧着部３０より外部に露出していれば、その露出する目印８０Ｘを目視するだけで、導体先端部２０１ａの少なくとも先端側が、圧着部３０のセレーション部分を圧着接続できる範囲内に収めた状態に挿入されたことを、圧着部３０の外部から目視で確認することができるとともに、導体先端部２０１ａが圧着部３０のセレーション部分の全域と接触するよう圧着接続することができる（図１１（ｂ）参照）。
【０１６７】
上述のように、目印８０Ｘの前端側が圧着部３０に隠れて見えず、目印８０Ｘの後端側が圧着部３０より外部に露出した組み合わせとなる挿入状態に挿入することで、導体先端部２０１ａが圧着部３０のセレーション部分にて圧着される所定位置まで挿入された良品であるかを、より確実に判定することができる。
【０１６８】
また、絶縁被覆２０２の外周面において被覆電線２００の長手方向Ｘに沿って幅広かつ周方向に形成した目印８０Ｘを設けているため、目印が水の通り道になって止水性が低下するおそれがある長手方向Ｙに沿って目印をマーキングした場合に比べて、圧着状態における確実な止水性を得ることができる。
【０１６９】
（第９実施形態）
上述の第４実施形態では、線状の線状目印７１と破線目印７２とを、絶縁被覆２０２の外周面に沿って周方向にマーキングした例を説明したが、図１２に示す第９実施形態のように、線状の目印８０Ｚを、絶縁被覆２０２の外周面に対して該絶縁被覆２０２の長手方向Ｘに交差して斜めにマーキングしてもよい。
【０１７０】
図１２は第９実施形態の線状の目印８０Ｚを備えた電線先端部２００ａを圧着部３０に挿入する際の説明図であり、詳しくは、図１２（ａ）は電線先端部２００ａを目印８０Ｚの長手方向Ｘ中央部と圧着部３０の開口側後端部とが一致する位置まで挿入した状態を示す縦断面図、図１２（ｂ）は電線先端部２００ａを目印８０Ｚの後端が圧着部３０より外部に露出する位置まで挿入した状態を示す縦断面図、図１２（ｃ）は電線先端部２００ａを目印８０Ｚの前端が圧着部３０の内部に隠れる位置まで挿入した状態を示す縦断面図である。
【０１７１】
詳しくは、線状の目印８０Ｚは、被覆電線２００における絶縁被覆２０２の外周面に対して該絶縁被覆２０２の長手方向Ｘに交差して斜めにマーキングしている。その目印８０Ｚにおける長手方向Ｘの前端から後端までの長さは、アルミニウム芯線２０１の導体先端部２０１ａと圧着部３０の導体圧着部３１ｂとが所望の導電状態に圧着接続される範囲と対応する長さに設定している。  
すなわち、アルミニウム芯線２０１の導体先端部２０１ａに対して、導体圧着部３１ｂのセレーション３３を形成したセレーション部分が全域にて接触するように圧着接続される範囲と対応する長さに設定している。
【０１７２】
目印８０Ｚの後端は、導体先端部２０１ａの導体先端面２０１ａａを基準として、該導体先端面２０１ａａから圧着部３０の内部長さＬと対応する距離を隔てた位置を含む絶縁被覆２０２の外周面に形成している。  
目印８０Ｚの前端は、該目印８０Ｚの後端よりも先端側寄りで、該後端から導体先端方向に対して、アルミニウム芯線２０１の導体先端部２０１ａと圧着部３０の導体圧着部３１ｂとが所望の導電状態に圧着接続される範囲と対応する距離を隔てた位置の絶縁被覆２０２の外周面に形成している。
【０１７３】
上述の目印８０Ｚがマーキングされた被覆電線２００の電線先端部２００ａを、雌型圧着端子１０の圧着部３０に対して挿入する際、圧着部３０の開口側後端部に対して目印８０Ｚが交差される位置まで挿入するとともに、目印８０Ｚの長手方向Ｘ中央部と圧着部３０の開口側後端部とが一致する位置に挿入する。
【０１７４】
これにより、電線先端部２００ａの圧着部３０に対する挿入が浅くなり過ぎたり、深くなり過ぎることなく、アルミニウム芯線２０１の導体先端部２０１ａを、圧着部３０の導体圧着部３１ｂに対して圧着接続が適正に行われる位置まで確実に挿入することができる（図１２（ａ）参照）。
【０１７５】
つまり、被覆電線２００における電線先端部２００ａの絶縁被覆２０２に形成した目印８０Ｚと、雌型圧着端子１０における圧着部３０の開口側後端部とが交差する位置まで挿入すれば、目印８０Ｚの前端側が圧着部３０の内部となる位置で該内部に隠れていて、かつ、目印８０Ｚの後端側が圧着部３０の開口側後端部より外部に露出される。
【０１７６】
このため、圧着部３０より露出する目印８０Ｚを目視すれば、アルミニウム芯線２０１の導体先端部２０１ａが、圧着部３０の導体圧着部３１ｂに対して所定位置まで挿入されたことを、該圧着部３０の外部から確実に目視で確認することができる。
【０１７７】
この状態で、被覆電線２００における電線先端部２００ａのアルミニウム芯線２０１の導体先端部２０１ａに対して、雌型圧着端子１０における圧着部３０の導体圧着部３１ｂを圧着接続するので、より確実に所定の圧着状態に圧着接続することができ、前記実施形態と略同等の作用及び効果を奏することができる。
【０１７８】
電線先端部２００ａを圧着部３０に挿入した際、目印８０Ｚの全体が圧着部３０に隠れて見えなければ、電線先端部２００ａの圧着部８０Ｚに対する挿入が深く、過剰挿入されていることになる。また、目印８０Ｚの全体が圧着部８０Ｚから露出していれば、電線先端部２００ａの圧着部８０Ｚに対する挿入が浅く、過少挿入されていることになる。
【０１７９】
したがって、電線先端部２００ａを圧着部３０に挿入する際、圧着部３０の開口側後端部が、目印８０Ｚにおける長手方向Ｘの前端と後端との間と対応する範囲内に位置するように挿入すれば、良好な状態に圧着接続することかできる。
【０１８０】
例えば、目印８０Ｚの後端が圧着部３０の開口側後端部より外部に露出される位置まで挿入するか（図１２（ｂ）参照）、あるいは、目印８０Ｚの前端が圧着部３０の内部に隠される位置まで挿入すれば（図１２（ｃ）参照）、目印８０Ｚの後端側が圧着部３０の開口側後端部より外部に必ず露出される。
【０１８１】
このため、圧着部３０より露出する目印８０Ｚを目視すれば、アルミニウム芯線２０１の導体先端部２０１ａの少なくとも先端側が、導体圧着部３１ｂのセレーション部分を圧着接続できる範囲内に収められていることを、圧着部３０の外部から確実に目視で確認することができる。よって、導体先端部２０１ａが導体圧着部３１ｂのセレーション部分の全域にて接触するように圧着接続することができる。
【０１８２】
（第１０実施形態）
上述の第１実施形態では、アルミニウム芯線２０１の導体先端部２０１ａが圧着部３０内の所定位置まで挿入されたことを確認するための目印５０をマーキングした例を説明したが、図１３に示す第１０実施形態のように、線状の補助目印１００を、圧着部３０の開口側後端部より外部に露出される絶縁被覆２０２の露出側外周面にマーキングしてもよい。
【０１８３】
図１３は第１０実施形態の線状の補助目印１００を備えた電線先端部２００ａを圧着部３０に挿入する際の説明図であり、詳しくは、電線先端部２００ａを圧着部３０に対して目印５０が隠れる位置まで挿入した状態を示す縦断面図である。
【０１８４】
詳述すると、線状の補助目印１００は、上述したレーザー式マーキング装置により目印５０をマーキングする際に、圧着部３０の開口側後端部より外部に露出される絶縁被覆２０２の露出側外周面に沿って周方向にマーキングしている。  
つまり、被覆電線２００の電線先端部２００ａを雌型圧着端子１０の圧着部３０に対して深く挿入してしまい、絶縁被覆２０２にマーキングした目印５０が圧着部３０に隠れて見えなくなっても、絶縁被覆２０２の露出側外周面に付設した補助目印１００を目視すれば、圧着部３０に隠れて見えなくなった部分に目印５０が付設されていることを、圧着部５０の外部から確認することができる。
【０１８５】
したがって、被覆電線２００の電線先端部２００ａを雌型圧着端子１０の圧着部３０から抜き取らなくても、上述の目印５０がマーキング済みであることを、圧着部３０の外部から確実に目視で確認することができる。  
なお、補助目印１００は、絶縁被覆２０２における露出側外周面の一部にマーキングしてもよい。
【０１８６】
この発明の構成と、前記実施形態との対応において、  
この発明の圧着端子は、実施形態の雌型圧着端子１０に対応し、  
以下同様に、  
圧着部は、クローズドバレル型の圧着部３０に対応し、  
導体は、アルミニウム芯線２０１に対応し、  
後側目印は、目印５１，５１Ｘ，６１，７１に対応し、  
前側目印は、目印５２，５２Ｘ，６２，７２に対応し、  
接続構造体は、圧着接続構造体１ａ，１ｂに対応し、  
コネクタは、雌型コネクタ３ａ及び雄型コネクタ３ｂに対応するも、  
電線先端部２００ａの先端側端面は、導体先端部２０１ａの導体先端面２０１ａａと、被覆先端部２０２ａの被覆先端面２０２ａａに対応するも、  
この発明は、上述の実施形態の構成のみに限定されるものではなく、請求項に示される技術思想に基づいて応用することができ、多くの実施の形態を得ることができる。
【０１８７】
なお、被覆電線２００の電線先端部２００ａに雌型圧着端子１０の圧着部３０を圧着する際、圧着部３０に作用する圧着圧力によって、絶縁被覆２００が長手方向Ｘにおける後方に伸びるため、例えば、電線先端部２００ａにマーキングされた目印５０は圧着部３０に対して後方に移動する。その場合、被覆電線２００の電線先端部２００ａを圧着部３０内の所定位置まで挿入した際、圧着部３０内部に位置するはずの目印５０が、圧着による絶縁被覆２００の伸びのため、圧着部３０の後端から露出するおそれがある。  
したがって、目印５０は、図示しない所定の解析手段による圧着部３０の圧着時の挙動解析によって、想定される絶縁被覆２００の後方への伸びに基づく移動量を考慮した位置に形成することが好ましい。
【０１８８】
上述の実施形態では、目印の位置を決める基準として、導体先端部２０１ａの導体先端面２０１ａａを基準にしているが、先端側の絶縁被覆２０２を所定量除去するため、導体先端部２０１ａの導体先端面２０１ａａから被覆先端部２０２ａの被覆先端面２０２ａａに至る距離が一定している。このため、被覆先端面２０２ａａを基準としてもよい。
【０１８９】
また、実施形態では、上述したように、ボックス部２０と圧着部３０で構成する雌型圧着端子１０で構成したが、圧着部３０を有する圧着端子であれば、上述の雌型圧着端子１０におけるボックス部２０に挿入接続する挿入タブと圧着部３０とで構成する雄型圧着端子でも、圧着部３０のみで構成し、複数本の被覆電線２００のアルミニウム芯線２０１を束ねて接続するための圧着端子であってもよい。
【０１９０】
また、本発明の被覆電線２００の端子接続構造は、例えば、被覆電線２００の電線先端部２００ａに、オープンバレル型の圧着部を圧着接続する接続構造にも適用することができる。  
すなわち、アルミニウム芯線２０１の導体先端部２０１ａが、図示しないオープンバレル型の圧着部内の所定位置まで挿入されたことを、該圧着部の外部から目視確認することができるため、前記実施形態と略同等の作用及び効果を奏することができる。
【０１９１】
さらにまた、電線先端部をオープンバレル型の圧着部に挿入する場合、上述の目印を、被覆電線の先端側に露出したアルミニウム芯線の導体先端部にマーキングしてもよい。  
さらにまた、目印は、例えば、光学的なセンサや、画像読取り装置等で読み取り可能であってもよい。
【０１９２】
また、上述の説明では、レーザー式マーキング装置から投光されるレーザーを照射したり、マーキング装置やインクジェット式マーキング装置でインクを印刷又は塗布して目印をマーキングしたが、被覆電線２００にスタンプして目印をマーキングしてもよい。しかしながら、被覆電線２００にスタンプして目印をマーキングする場合、製造ラインにおいて被覆電線２００の流れをいったん止めて、スタンプで挟み込んでから目印をマーキングするため、被覆電線２００を流れたままマーキングすることができるレーザーやインクの塗布によるマーキングの方が生産性が高い。
【符号の説明】
【０１９３】
１…雌型圧着端子付き電線
１ａ，１ｂ…圧着接続構造体
３ａ…雌型コネクタ
３ｂ…雄型コネクタ
１０…雌型圧着端子
２０…ボックス部
３０…圧着部
３１…電線圧着部
３１ｂ…導体圧着部
３２…封止部
３３…セレーション
５０，５１，５１Ｘ，５２，５２Ｘ…目印
６１，６２，７１，７２…目印
８０，８０Ｘ，８０Ｚ，９０…目印
１００…補助目印
２００…被覆電線
２００ａ…電線先端部
２０１…アルミニウム芯線
２０１ａ…導体先端部
２０１ａａ…導体先端面
２０２…絶縁被覆
２０２ａ…被覆先端部
２０２ａａ…被覆先端面
３００…コネクタハウジング
【図１】
0005639296.tif 000002
【図２】
0005639296.tif 000003
【図３】
0005639296.tif 000004
【図４】
0005639296.tif 000005
【図５】
0005639296.tif 000006
【図６】
0005639296.tif 000007
【図７】
0005639296.tif 000008
【図８】
0005639296.tif 000009
【図９】
0005639296.tif 000010
【図１０】
0005639296.tif 000011
【図１１】
0005639296.tif 000012
【図１２】
0005639296.tif 000013
【図１３】
0005639296.tif 000014